(57)【要約】【課題】係止した靴の靴内まで短時間で乾燥させることが可能な靴乾燥ハンガーを提供する。【解決手段】靴乾燥ハンガー１は一対の横杆部２、２’を有し、それぞれの横杆部２、２’の両側には、靴ホルダ３、３’が付設されている。横杆部２、２’の間には吊下部４が上方に向けて取り付けられている。靴ホルダ３、３’の上筒部３ａには上孔部３ｄが開口され、上筒部３ａの下部には長孔状の肩孔部が開口している。靴ホルダ３、３’の下筒部３ｃの下端部には、底孔部３ｆが下方向に開口されており、上筒部３ａから下筒部３ｃの側方部にかけての複数個所に側孔部３ｇが正面方向及び裏面方向に開口している。上孔部３ｄから流れ込んだ空気は、肩孔部、底孔部３ｆ及び側孔部３ｇから排出される。【選択図】図１
2019013328.tif 000002
【特許請求の範囲】
【請求項１】
一対の横杆部と、これらの横杆部の外側に付設され、上筒部及び下筒部から成る筒状体である一対の靴ホルダと、前記横杆部の間に取り付けた吊下部とから成る靴乾燥ハンガーにおいて、
前記上筒部の上部には空気を流入する上孔部が設けられ、前記下筒部の側方部には前記上孔部から流入した空気を排出する側孔部が設けられていることを特徴とする靴乾燥ハンガー。
【請求項２】
前記下筒部の下端部には前記上孔部から流入した空気を排出する底孔部が設けられていることを特徴とする請求項１に記載の靴乾燥ハンガー。
【請求項３】
前記上筒部の斜め方向に傾斜する傾斜部の頂端部には、靴の踵部を掛止する靴掛部を有していることを特徴とする請求項１又は２に記載の靴乾燥ハンガー。
【請求項４】
前記傾斜部の下部であって前記靴掛部の近傍には、前記上孔部から流入した空気を排出する肩孔部を設けられていることを特徴とする請求項３に記載の靴乾燥ハンガー。
【請求項５】
前記靴ホルダは偏平筒状とされ、前記上筒部と前記下筒部とは略くの字状に屈曲して連結されていることを特徴とする請求項１〜４に記載の靴乾燥ハンガー。
【請求項６】
前記側孔部は複数個としたことを特徴とする請求項１〜５の何れか１項に記載の靴乾燥ハンガー。
【請求項７】
前記一対の横杆部同士はこれらの間の軸部を中心に折り畳みが可能としたことを特徴とする請求項１〜６の何れか１項に記載の靴乾燥ハンガー。
【発明の詳細な説明】
【技術分野】
【０００１】
本発明は、洗濯した運動靴等を乾燥させるための靴乾燥ハンガーに関するものである。
【背景技術】
【０００２】
従来から、靴を乾燥させる靴干具は多数提案されており、例えば特許文献１には、靴を支持する左右一対の靴掛け部を有する靴用ハンガーが開示されている。
【０００３】
また、近年、マンション等の住宅では、浴室の天井に埋込式の乾燥機が装備されており、天井から吹き出される温風を利用して、浴室で洗濯物を短時間で乾燥させることも多い。
【先行技術文献】
【特許文献】
【０００４】
【特許文献１】特開２０１６−２１９８６号公報
【発明の概要】
【発明が解決しようとする課題】
【０００５】
従来の特許文献１の靴用ハンガーの靴掛け部に、洗濯した運動靴等を引っ掛けて乾燥させる場合には、靴の外側部分については短時間で乾燥する。しかし、靴の爪先を上に、或いは爪先が下になるように吊り下げても、何れも靴の内側部分については乾燥し難く、乾燥に時間がかかるという問題がある。
【０００６】
また、上述の浴室乾燥機を備えた浴室で、他の洗濯物の乾燥と共に、従来の靴用ハンガーを用いて靴を乾燥させても、短時間の乾燥では他の洗濯物は乾燥しても、靴の乾燥は遅れるという問題がある。
【０００７】
本発明の目的は、上述の課題を解決し、係止した靴を靴内まで短時間で乾燥させることが可能な靴乾燥ハンガーを提供することにある。
【課題を解決するための手段】
【０００８】
上記目的を達成するための本発明に係る靴乾燥ハンガーは、一対の横杆部と、これらの横杆部の外側に付設され、上筒部及び下筒部から成る筒状体である一対の靴ホルダと、前記横杆部の間に取り付けた吊下部とから成る靴乾燥ハンガーにおいて、前記上筒部の上部には空気を流入する上孔部が設けられ、前記下筒部の側方部には前記上孔部から流入した空気を排出する側孔部が設けられていることを特徴とする。
【発明の効果】
【０００９】
本発明に係る靴乾燥ハンガーによれば、空気を流入する空気入口部と、空気を排出する排出孔部とを設けることで、靴内に空気が流れ込み靴内の乾燥を早めることが可能である。
【図面の簡単な説明】
【００１０】
【図１】靴乾燥ハンガーの実施例の斜視図である。
【図２】平面図である。
【図３】側面図である。
【図４】靴を係止した状態の靴乾燥ハンガーを断面とした説明図である。
【発明を実施するための形態】
【００１１】
本発明を図示の実施例に基づいて詳細に説明する。
図１は靴乾燥ハンガーの実施例の斜視図、図２は平面図、図３は側面図である。
【００１２】
靴乾燥ハンガー１は合成樹脂製とされ、大きさは例えば大人用で横幅２０ｃｍ、高さが２０ｃｍ、厚みが１．５ｃｍ程度の大きさである。なお、乾燥させる靴のサイズに合わせて、子供用や女性用等の適宜の大きさのものを採用することができる。
【００１３】
靴乾燥ハンガー１は一対の横杆部２、２’を有し、それぞれの横杆部２、２’の側方には、一対の靴ホルダ３、３’が付設されており、横杆部２、２’の間には吊下部４が上方に向けて取り付けられている。
【００１４】
横杆部２、２’は薄板状であり、一方の端部は靴ホルダ３、３’と連結している。そして、一方の横杆部２の他方の端部には、円筒状の上側軸受部２ａが設けられており、他方の横杆部２’の他方の端部には、円筒状の下側軸受部２ｂが設けられている。
【００１５】
靴ホルダ３、３’は左右対称形とされ、表側と裏側との間の厚みはほぼ同一とされ、上下方向を向く偏平な筒状体から成っている。靴ホルダ３、３’の上筒部３ａは、やや斜め上方を向く幅広とされて横杆部２、２’に連結され、上筒部３ａの斜め方向に傾斜する傾斜部の頂端部には、靴の踵部を掛止する靴掛部３ｂを有している。
【００１６】
上筒部３ａの内側部から、下方に向けて幅狭の下筒部３ｃが垂設され、上筒部３ａに対し略くの字状に屈曲されて連結し、更に下方に進むにつれ徐々に横幅が狭くなっている。
【００１７】
上筒部３ａの上部には細幅の空気入口部である上孔部３ｄが開口され、上筒部３ａの斜め方向に傾斜する傾斜部の下部であって靴掛部３ｂの近傍には、長孔状の肩孔部３ｅが側下面方向に開口されている。
【００１８】
そして、下筒部３ｃの下端部には、底孔部３ｆが下方向に向けて開口されており、上筒部３ａから下筒部３ｃの側方部にかけての複数個所に、側孔部３ｇが正面方向及び裏面方向に開口されている。
【００１９】
側孔部３ｇの数や形状は、乾燥すべき運動靴Ｓ内に対する効果的な空気流を考慮して、適宜に選択可能である。これらの肩孔部３ｅ、底孔部３ｆ及び側孔部３ｇは、上孔部３ｄから流入した空気を排出するための排出孔である。
【００２０】
吊下部４は下方の軸部４ａと、上部の鉤部４ｂとから成り、軸部４ａは、横杆部２の中央側の上側軸受部２ａと、横杆部２’の下側軸受部２ｂとを介して回転自在に取り付けられている。
【００２１】
そして、軸部４ａを中心に横杆部２、２’同士を向かい合わせるように軸受部を回動させることで、使用しないときは靴乾燥ハンガーをコンパクトに折り畳むことが可能とされている。
【００２２】
図４は靴を係止した状態の靴乾燥ハンガー１を断面とした説明図である。使用に際しては洗濯が終って乾燥すべき例えば点線で示す一足の運動靴Ｓを十分に水切りした上で、運動靴Ｓの先端Ｓａを下方に向けた状態で、内側部に靴ホルダ３、３’の下筒部３ｃを挿入する。
【００２３】
下筒部３ｃを運動靴Ｓに挿入した後に、踵部Ｓｂを上筒部３ａの靴掛部３ｂに引っ掛けるようにして、運動靴Ｓを靴ホルダ３、３’に係止させる。これにより、運動靴Ｓは靴ホルダ３、３’を中に入れた宙吊り状態となる。
【００２４】
この状態において、この靴乾燥ハンガー１を浴室の天井埋込式の乾燥機の空気噴出口などの下に例えば引張棒を配置して、この引張棒に吊下部４を吊り下げる。乾燥機を起動させると、空気噴出口温風等の空気流Ｆが噴出し、矢印に示すように上孔部３ｄに流れ込む。この空気流Ｆの一部は上筒部３ａの肩孔部３ｅから排出され、運動靴Ｓの踵部Ｓｂ内に流入する。
【００２５】
残りの空気流Ｆは下筒部３ｃ内に流れ込み、側孔部３ｇ、底孔部３ｆから運動靴Ｓ内の先端Ｓａ内に流入する。これらの空気流Ｆの運動靴Ｓ内への流入により、運動靴Ｓ内の湿った空気は上方に追い出され、新しい空気と置換されるので、運動靴Ｓ内は効率良く乾燥が早まる。
【００２６】
なお、実施例では、靴ホルダ３、３’は偏平な筒状体としたが、靴内に挿入可能な範囲で断面に膨らみを持たせてもよい。また、靴ホルダ３、３’内に空気が流入し易いように、上孔部３ｄの周囲をラッパ状に拡開することも効果的である。
【００２７】
このように靴乾燥ハンガー１の靴ホルダ３、３’に、空気を流入する空気入口部と、空気を排出する空気排出部を設けることで、乾燥すべき靴内に新しい空気が流れ込み、靴内の乾燥を早める。
【符号の説明】
【００２８】
１  靴乾燥ハンガー
２、２’  横杆部
３、３’  靴ホルダ
３ａ  上筒部
３ｂ  靴掛部
３ｃ  下筒部
３ｄ  上孔部
３ｅ  肩孔部
３ｆ  底孔部
３ｇ  側孔部
４  吊下部
Ｓ  運動靴
【図１】
2019013328.tif 000003
【図２】
2019013328.tif 000004
【図３】
2019013328.tif 000005
【図４】
2019013328.tif 000006